【手続補正書】
【提出日】平成17年8月9日(2005.8.9)
【手続補正１】
【補正対象書類名】明細書
【補正対象項目名】発明の名称
【補正方法】変更
【補正の内容】
【発明の名称】無線電話システム、無線電話システムにおける通信方法、および無線ハンドセットと通信するベースユニット
【手続補正２】
【補正対象書類名】明細書
【補正対象項目名】特許請求の範囲
【補正方法】変更
【補正の内容】
【特許請求の範囲】
【請求項１】（ａ）各々がハンドセット送受信機を含む１つ以上の無線ハンドセットと、
（ｂ）ベースユニットと、
を具える、無線電話システムであって、
前記ベースユニットは、
（１）ワイヤード・インタフェースを有するハンドセット・ドッキング・ステーションと、
（２）ハンドセットが前記ドッキング・ステーションに物理的にドッキングされたときに、前記ハンドセットに永続的に記憶された固有ハンドセット・シリアル番号に基づく固有ハンドセット・セキュリティ・コードを前記ハンドセットから読み出して前記固有ハンドセット・セキュリティ・コードを前記ベースユニットに局所的に記憶することによって、前記ワイヤード・インタフェースを介して前記ハンドセットを初期化する手段と、
（３）各ハンドセットから前記ハンドセットのハンドセット・セキュリティ・コードを受け取ったときに、前記ハンドセットが前記ベースユニットによって以前に初期化されていたと前記ベースユニットが判断した場合にだけ、前記ハンドセットとの間で前記ハンドセット送受信機を介してチャネル上で通信するベース送受信機と、
を具える、前記無線電話システム。
【請求項２】  前記初期化する手段は、固有ベースユニット・シリアル番号に基づく固有ベースユニット・セキュリティ・コードを前記ハンドセットに供給する手段を具え、
前記ベース送受信機は、或るハンドセットが前記ベースユニット・セキュリティ・コードおよび前記ハンドセット・セキュリティ・コードを前記ベースユニットに供給した場合にだけ、前記ハンドセットと通信する、請求項１に記載の無線電話システム。
【請求項３】  前記ベース送受信機は、排他的オーディオ・パケット・タイムスロットを各ハンドセットに割り当てるＴＤＭＡエポックに従って、各ハンドセットとの間に前記ハンドセット送受信機を介して、時分割多元接続（ＴＤＭＡ）リンクを設定する手段を具え、
前記初期化する手段は、オーディオ・パケット・タイムスロットに対応する排他的オーディオ・パケット・スロット番号を前記ハンドセットに供給する手段を具え、
前記ベース送受信機は、或るハンドセットが前記ハンドセット・セキュリティ・コードおよび前記オーディオ・パケット・スロット番号を前記ベースユニットに供給した場合にだけ、前記ハンドセットと通信する、請求項１に記載の無線電話システム。
【請求項４】  前記ベースユニットと前記ハンドセットは、前記ベース送受信機と前記ハンドセットの双方に必ず知られている前記ハンドセットに固有のスクランブラ・シードに従って、前記ベース送受信機と前記ハンドセットの間のディジタル通信をスクランブルする手段をそれぞれ具え、
前記初期化する手段は、前記ハンドセットに前記ハンドセットのスクランブラ・シードを供給し前記ベースユニットに局所的に記憶する手段を具える、請求項１に記載の無線電話システム。
【請求項５】  各ハンドセットは、充電可能なバッテリによってバッテリ給電され、
前記ドッキング・ステーションは、前記ドッキング・ステーションに物理的にドッキングされたハンドセットのバッテリを充電する充電手段を、具える、
請求項１に記載の無線電話システム。
【請求項６】  前記ベースユニットは、前記ドッキング・ステーションに物理的にドッキングされたハンドセットのバッテリが閾値レベルより低い電圧を有するかどうかを判断する手段を具えており、
前記初期化する手段は、前記ハンドセットを初期化する以前に前記バッテリ電圧が前記閾値レベルより高く充電されてしまうまで待つ手段を具える、請求項５に記載の無線電話システム。
【請求項７】  前記ハンドセットと前記ベースユニットは、複数のフィールドからなるメッセージ・フォーマットに従って、前記初期化の期間において初期化メッセージを交換する手段を具える、請求項１に記載の無線電話システム。
【請求項８】  無線電話システムのベースユニットと前記システムの１つ以上の無線ハンドセットの間で通信を行う、無線電話システムにおける通信方法であって、
前記ベースユニットは、ベース送受信機と、ワイヤード・インタフェースを有するハンドセット・ドッキング・ステーションとを具え、
各ハンドセットは、ハンドセット送受信機を具えるものであり、
（ａ）ハンドセットが前記ドッキング・ステーションに物理的にドッキングされたときに、前記ハンドセットに永続的に記憶された固有ハンドセット・シリアル番号に基づく固有ハンドセット・セキュリティ・コードを前記ハンドセットから読み出して前記固有ハンドセット・セキュリティ・コードを前記ベースユニットに局所的に記憶することによって、前記ワイヤード・インタフェースを介して前記ハンドセットを初期化するステップと、
（ｂ）ハンドセットから前記ハンドセットのハンドセット・セキュリティ・コードを受け取ったときに、前記ハンドセットが前記ベースユニットによって以前に初期化されていたと前記ベースユニットが判断した場合にだけ、前記ベースユニットと前記ハンドセットの間で前記ベースユニット送受信機および前記ハンドセット送受信機を介してＲＦチャネル上でディジタル通信を行うステップと、
を含む、前記無線電話システムにおける通信方法。
【請求項９】  各々がハンドセット送受信機を具える１つ以上の無線ハンドセットと通信するベースユニットであって、
（ａ）ワイヤード・インタフェースを有するハンドセット・ドッキング・ステーションと、
（ｂ）ハンドセットが前記ドッキング・ステーションに物理的にドッキングされたときに、前記ハンドセットに永続的に記憶された固有ハンドセット・シリアル番号に基づく固有ハンドセット・セキュリティ・コードを前記ハンドセットから読み出して前記固有ハンドセット・セキュリティ・コードを前記ベースユニットに局所的に記憶することによって、前記ワイヤード・インタフェースを介して前記ハンドセットを初期化する手段と、
（ｃ）各ハンドセットから前記ハンドセットのハンドセット・セキュリティ・コードを受け取ったときに、前記ハンドセットが前記ベースユニットによって以前に初期化されていたと前記ベースユニットが判断した場合にだけ、前記ハンドセットとの間で前記ハンドセット送受信機を介してチャネル上で通信するベース送受信機と、を具える、前記無線ハンドセットと通信するベースユニット。
【手続補正３】
【補正対象書類名】明細書
【補正対象項目名】０００６
【補正方法】変更
【補正の内容】
【０００６】
発明の概要
無線電話システムは、１つ以上の無線ハンドセットとベースユニットとを有する。各ハンドセットは、ハンドセット送受信機を有する。ベースユニットは、ベース送受信機と、ワイヤード・インタフェースを有するハンドセット・ドッキング・ステーションとを有する。ベースユニットは、ハンドセットがベースユニットによって以前に初期化されていた場合にだけ、ハンドセットとの間でハンドセット送受信機を介して、ＲＦチャネル上でディジタル通信を行う。ハンドセットは、ドッキング・ステーション（ｄｏｃｋｉｎｇ  ｓｔａｔｉｏｎ）に物理的にドッキングされたときに、ワイヤード・インタフェース（ｗｉｒｅｄ  ｉｎｔｅｒｆａｃｅ）を介して初期化される。
請求の範囲と実施例との対応関係を図面で使われている参照符号で示すと次の通りである。
（請求項１）（ａ）各々（１２０ｉ）がハンドセット送受信機（１２１、１２２）を含む１つ以上の無線ハンドセット（１２０）と、
（ｂ）ベースユニット（１１０）と、
を具える、無線電話システムであって、
前記ベースユニットは、
（１）ワイヤード・インタフェースを有するハンドセット・ドッキング・ステーション（１１８）と、
（２）ハンドセットが前記ドッキング・ステーションに物理的にドッキングされたときに、前記ハンドセットに永続的に記憶された固有ハンドセット・シリアル番号に基づく固有ハンドセット・セキュリティ・コードを前記ハンドセットから読み出して前記固有ハンドセット・セキュリティ・コードを前記ベースユニットに局所的に記憶することによって、前記ワイヤード・インタフェースを介して前記ハンドセットを初期化する手段と、
（３）各ハンドセットから前記ハンドセットのハンドセット・セキュリティ・コードを受け取ったときに、前記ハンドセットが前記ベースユニットによって以前に初期化されていたと前記ベースユニットが判断した場合にだけ、前記ハンドセット（１２０ｉ）との間で前記ハンドセット送受信機を介してチャネル上で通信するベース送受信機（１１１、１１２）と、
を具える、前記無線電話システム。
（請求項２）  前記初期化する手段は、固有ベースユニット・シリアル番号に基づく固有ベースユニット・セキュリティ・コードを前記ハンドセットに供給する手段（３１３）を具え、
前記ベース送受信機は、或るハンドセットが前記ベースユニット・セキュリティ・コードおよび前記ハンドセット・セキュリティ・コードを前記ベースユニットに供給した場合にだけ（３３１）、前記ハンドセットと通信する、請求項１に記載の無線電話システム。
（請求項３）  前記ベース送受信機は、排他的オーディオ・パケット・タイムスロットを各ハンドセットに割り当てるＴＤＭＡエポックに従って、各ハンドセットとの間に前記ハンドセット送受信機を介して、時分割多元接続（ＴＤＭＡ）リンクを設定する手段を具え、
前記初期化する手段は、オーディオ・パケット・タイムスロットに対応する排他的オーディオ・パケット・スロット番号を前記ハンドセットに供給する手段を具え、
前記ベース送受信機は、或るハンドセットが前記ハンドセット・セキュリティ・コードおよび前記オーディオ・パケット・スロット番号を前記ベースユニットに供給した場合にだけ、前記ハンドセットと通信する、請求項１に記載の無線電話システム。
（請求項４）  前記ベースユニットと前記ハンドセットは、前記ベース送受信機と前記ハンドセットの双方に必ず知られている前記ハンドセットに固有のスクランブラ・シード（２０７）に従って、前記ベース送受信機と前記ハンドセットの間のディジタル通信をスクランブルする手段をそれぞれ具え、
前記初期化する手段は、前記ハンドセットに前記ハンドセットのスクランブラ・シードを供給し前記ベースユニットに局所的に記憶する手段を具える、請求項１に記載の無線電話システム。
（請求項５）  各ハンドセットは、充電可能なバッテリによってバッテリ給電され、
前記ドッキング・ステーションは、前記ドッキング・ステーションに物理的にドッキングされたハンドセットのバッテリを充電する充電手段を、具える、
請求項１に記載の無線電話システム。
（請求項６）  前記ベースユニットは、前記ドッキング・ステーションに物理的にドッキングされたハンドセットのバッテリが閾値レベルより低い電圧を有するかどうかを判断する手段（３０２）を具えており、
前記初期化する手段は、前記ハンドセットを初期化する以前に前記バッテリ電圧が前記閾値レベルより高く充電されてしまうまで待つ手段（３０２）を具える、請求項５に記載の無線電話システム。
（請求項７）  前記ハンドセットと前記ベースユニットは、複数のフィールドからなるメッセージ・フォーマット（２００）に従って、前記初期化の期間において初期化メッセージを交換する手段を具える、請求項１に記載の無線電話システム。
（請求項８）  無線電話システム（１００）のベースユニット（１１０）と前記システムの１つ以上の無線ハンドセット（１２０）の間で通信を行う、無線電話システムにおける通信方法であって、
前記ベースユニットは、ベース送受信機（１１１、１１２）と、ワイヤード・インタフェースを有するハンドセット・ドッキング・ステーション（１１８）とを具え、
各ハンドセット（１２０ｉ）は、ハンドセット送受信機（１２１、１２２）を具えるものであり、
（ａ）ハンドセットが前記ドッキング・ステーションに物理的にドッキングされたときに、前記ハンドセットに永続的に記憶された固有ハンドセット・シリアル番号に基づく固有ハンドセット・セキュリティ・コードを前記ハンドセットから読み出して前記固有ハンドセット・セキュリティ・コードを前記ベースユニットに局所的に記憶することによって、前記ワイヤード・インタフェースを介して前記ハンドセットを初期化するステップと、
（ｂ）ハンドセットから前記ハンドセットのハンドセット・セキュリティ・コードを受け取ったときに、前記ハンドセットが前記ベースユニットによって以前に初期化されていたと前記ベースユニットが判断した場合にだけ、前記ベースユニットと前記ハンドセットの間で前記ベースユニット送受信機および前記ハンドセット送受信機を介してＲＦチャネル上でディジタル通信を行うステップと、
を含む、前記無線電話システムにおける通信方法。
（請求項９）  各々（１２０ｉ）がハンドセット送受信機（１１１、１１２）を具える１つ以上の無線ハンドセット（１２０）と通信するベースユニット（１１０）であって、
（ａ）ワイヤード・インタフェースを有するハンドセット・ドッキング・ステーション（１１８）と、
（ｂ）ハンドセットが前記ドッキング・ステーションに物理的にドッキングされたときに、前記ハンドセットに永続的に記憶された固有ハンドセット・シリアル番号に基づく固有ハンドセット・セキュリティ・コードを前記ハンドセットから読み出して前記固有ハンドセット・セキュリティ・コードを前記ベースユニットに局所的に記憶することによって、前記ワイヤード・インタフェースを介して前記ハンドセットを初期化する手段と、
（ｃ）各ハンドセットから前記ハンドセットのハンドセット・セキュリティ・コードを受け取ったときに、前記ハンドセットが前記ベースユニットによって以前に初期化されていたと前記ベースユニットが判断した場合にだけ、前記ハンドセット（１２０ｉ）との間で前記ハンドセット送受信機を介してチャネル上で通信するベース送受信機（１１１、１１２）と、を具える、前記無線ハンドセットと通信するベースユニット。